(57)【要約】【課題】基地局切替中のトーン信号の鳴音は、音声通話の妨げになり、使用者にとっては、耳障りになるし、また、無音期間とすると無線装置の故障と認識される場合がある。【解決手段】回線制御装置と、上記回線制御装置と結合される少なくとも第１と第２の基地局と、上記基地局と無線回線で結合される無線装置を有し、上記無線装置は、上記第１と第２の基地局の信号を受信する受信装置と、上記受信装置からの信号を出力するスピーカおよび上記受信装置と上記スピーカを制御する制御部を有し、上記無線装置が上記第１の基地局の無線エリアから上記第２の基地局の無線エリアに移動する場合、上記受信装置が上記第１の基地局の信号から上記第２の基地局の信号に切替える時間が所定の時間Ｔより小さい場合、上記制御部は、上記スピーカを無音に制御するように構成する。【選択図】図１
2008005376.tif 000002
【特許請求の範囲】
【請求項１】
回線制御装置と、上記回線制御装置と結合される少なくとも第１と第２の基地局と、上記基地局と無線回線で結合される無線装置を有し、上記無線装置は、上記第１と第２の基地局の信号を受信する受信装置と、上記受信装置からの信号を出力するスピーカおよび上記受信装置と上記スピーカを制御する制御部を有し、上記無線装置が上記第１の基地局の無線エリアから上記第２の基地局の無線エリアに移動する場合、上記受信装置が上記第１の基地局の信号から上記第２の基地局の信号に切替える時間が所定の時間Ｔより小さい場合、上記制御部は、上記スピーカを無音に制御することを特徴とする無線通信システム。
【請求項２】
請求項１記載の無線通信システムにおいて、上記無線装置が上記第１の基地局の無線エリアから上記第２の基地局の無線エリアに移動する場合、上記受信装置が上記第１の基地局の信号から上記第２の基地局の信号に切替える時間が所定の時間Ｔより大きい場合、上記制御部は、上記所定の時間Ｔを無音期間Ｔｍとトーン鳴音期間Ｔｎに分けて上記スピーカを駆動するように制御することを特徴とする無線通信システム。
【請求項３】
第１の基地局からの信号および第２の基地局からの信号を受信する受信装置と、上記受信装置からの信号を出力するスピーカと、上記受信装置および上記スピーカを制御する制御部を有する無線装置において、上記受信装置が上記第１の基地局エリアから上記第２の基地局エリアに移動する場合、上記受信装置が上記第１の基地局の信号から上記第２の基地局の信号に受信を切替える時間が所定の時間Ｔより小さい場合、上記制御部は、上記スピーカを無音にし、上記切替える時間が所定の時間Ｔより大きい場合、上記制御部は、上記所定の時間Ｔを無音期間Ｔｍとトーン鳴音期間Ｔｎに分けて上記スピーカを駆動するように制御することを特徴とする無線装置。
【発明の詳細な説明】
【技術分野】
【０００１】
本発明は、無線通信システムおよび無線装置に関し、特に、無線装置が基地局間を移動する場合の基地局の切替時の鳴音を制御する無線通信システムおよび無線装置に関するものである。
【背景技術】
【０００２】
現在、実用化されているデジタル無線システムの一つとして、標準規格ARIB STD-T79（Association of Radio Industries and Businesses-T79）（例えば、非特許文献１参照）で定められている移動通信システムがある。図６は、複数の基地局ゾーンを備えた移動通信システムを示している。図６において、６０１は、回線制御装置、６０２−１、６０２−２、６０２−３は、無線基地局（以下基地局と称する。）である。なお、基地局を代表する場合は、基地局６０２と称する。６０３−１、６０３−２、６０３−３は、基地局ゾーン、即ち、各基地局の通信エリアを示している。なお、基地局ゾーンを代表する場合は、基地局ゾーン６０３と称する。６０４−１、６０４−２、６０４−３、６０４−４、６０４−Ｎは、無線装置または移動局無線装置（以下、無線装置と称する。）である。なお、無線装置を代表する場合は、無線装置６０４と称する。基地局６０２−１は、通信エリア６０３−１内に位置する複数の無線装置６０４−１、６０４−２、・・・６０４−Ｎと基地局間あるいは基地局を経由した移動局間の通信接続サービスを行っている。同様に、無線基地局６０２−２は、通信エリア６０３−２内に位置する複数の無線装置６０４と基地局間あるいは基地局を経由した移動局間の通信接続サービスを行っている。また、無線基地局６０２−３も、通信エリア６０３−３内に位置する複数の無線装置６０４と基地局間あるいは基地局を経由した移動局間の通信接続サービスを行っている。
【０００３】
回線制御装置６０１は、デジタル無線通信システムにおける基地局および複数の無線装置間の通信接続およびサービスエリアの維持、管理を行ない、無線装置からの発呼(call)制御あるいは通信ルートの設定を行う制御等を行う。なお、回線制御装置６０１は、例えば、基地局６０２−１と一体に構成される場合と、図６のように場所的に離れた場所に設置される場合もある。この場合、回線制御装置６０１と基地局６０２とは、有線またはマイクロ回線等の伝送路６０５−１、６０５−２、６０５−３等で接続されるのが一般的である。また、ここで説明する無線装置とは、車両等に搭載された無線機、携帯無線機あるいは情報端末局等を含むものとする。また、上記例では、３つの基地局のみ示しているが、一般的には、複数の基地局と多数の無線装置からなるシステムが普通であるが、説明の都合上、最も簡単な構成の図６を用いて説明する。
【０００４】
また、標準規格ARIB STD-T79で定められているデジタル無線技術を用いたデジタル移動通信システムで使用が許可されている無線キャリア（carrier）周波数割当ての一例を図７に示す。図７において、上り方向、即ち、無線装置→基地局の方向では、約２６２ＭＨｚ〜２６６ＭＨｚの無線キャリアｆで、２５ＫＨｚ巾で、１１２波（ｆ１、ｆ２、・・・）が認められている。また、下り方向、即ち、基地局→無線装置の方向では、上り方向の２６２ＭＨｚから９ＭＨｚ離れた約２７１ＭＨｚ〜２７５ＭＨｚの無線キャリアＦで、２５ＫＨｚ巾で、１１２波（Ｆ１、Ｆ２、・・・）が認められている。従って、デジタル無線通信システムの通信においては、上り方向ｆ１、ｆ２、・・・、下り方向Ｆ１、Ｆ２、・・・の各周波数が使用される。そして、各システムは、その規模に応じて１又は複数の無線キャリアを使用することができる。そして、図６に示される無線通信システムでは、例えば、基地局６０２−１は、上りｆ１、下りＦ１のペアー波を使用し、基地局６０２−２は、上りｆ３、下りＦ３のペアー波を、また、基地局６０２−３は、上りｆ５、下りＦ５のペアー波を使用して通信している。
【０００５】
さて、上記のような複数の基地局６０２を有する無線通信システムにおいて、無線装置（移動局）６０４が通信を行ないながら移動すると、基地局の通信エリアを越えて移動する場合が発生する。例えば、無線装置６０４−１が、最初は、基地局６０２−１の通信エリア６０３−１内を移動しているが、更に、移動すると、基地局６０２−１の通信エリア６０３−１から基地局６０２−２の通信エリア６０３−２に移動する場合が発生する。このような場合、無線装置６０４−１は、基地局６０２−１との接続を切断してから移動先、所謂、基地局６０２−２との接続を行う必要がある（一般的にハンドオーバーと言われている。）。この場合、移動元である基地局６０２−１との接続を切断し、移動先基地局６０２−２との接続を完了するまでの間、音声の途切れが発生する。これについて図８、図９を用いて説明する。
【０００６】
図８は、音声の途切れが発生する場合、その期間、トーン信号を出力する場合を示している。即ち、無線装置６０４−１が基地局６０２−１と接続している期間ｔ１は、例えば、基地局６０２−１からの受信音声８０１が無線装置６０４−１の受話器（またはスピーカ）から出力される。無線装置６０４−１が基地局６０２−１との接続を切ってから基地局６０２−２との接続を完了するまでの期間ｔ２は、無線装置６０４−１が移動中で、基地局切替を行っていることを使用者に知らせるトーン信号８０２を無線装置６０４−１の受話器から出力する。この期間Ｔ２は、一般的に、０．５秒〜２０秒程度かかる。そして、無線装置６０４−１が移動先の基地局６０２−２と接続を完了すると、無線装置６０４−１の受話器から基地局６０２−２からの受信音声８０３が出力される（期間ｔ３で示す。）。しかしながら、基地局切替中（期間ｔ２）のトーン信号の鳴音が数秒かかると、音声通話の妨げになり、使用者にとっては、耳障りになる等の問題がある。
【０００７】
図９は、音声の途切れが発生する場合、その期間、無音にする場合を示している。即ち、無線装置６０４−１が基地局６０２−１と接続している期間ｔ４は、例えば、基地局６０２−１からの受信音声９０１が無線装置６０４−１の受話器（またはスピーカ）から出力される。無線装置６０４−１が基地局６０２−１との接続を切ってから基地局６０２−２との接続を完了するまでの期間ｔ５（上記の期間Ｔ２に対応する。）は、無音９０２とする。そして、無線装置６０４−１が移動先の基地局６０２−２と接続を完了すると、無線装置６０４−１の受話器から基地局６０２−２からの受信音声９０３が出力される（期間ｔ６で示す。）。この場合、使用者が音声の途切れに気づかなかった場合、無線装置の故障と認識する場合がある。上記のようにいずれの場合にもハンドオーバー時の対応に満足な無線通信システムおよび無線装置がなく、使用者にとって優しく、利便性の高い無線通信システムおよび無線装置の実現が望まれている。
【０００８】
【非特許文献１】標準規格ARIB STD-T79：市町村デジタル移動通信システム  社団法人  電波産業会
【発明の開示】
【発明が解決しようとする課題】
【０００９】
以上説明したように基地局切替中のトーン信号の鳴音は、音声通話の妨げになり、使用者にとっては、耳障りになるし、また、無音期間とすると無線装置の故障と認識される場合がある。
【００１０】
本発明の目的は、使用者にとって優しく、利便性の高い無線通信システムおよび無線装置を提供することである。
【００１１】
本発明の他の目的は、トーン信号の鳴音に煩わされることなく、ハンドオーバを認識できる無線通信システムおよび無線装置を提供することである。
【００１２】
本発明の更に他の目的は、無線装置の基地局間移動中を通知するトーンの鳴動、停止を制御できる無線装置を提供することである。
【課題を解決するための手段】
【００１３】
本発明は、回線制御装置と、上記回線制御装置と結合される少なくとも第１と第２の基地局と、上記基地局と無線回線で結合される無線装置を有し、上記無線装置は、上記第１と第２の基地局の信号を受信する受信装置と、上記受信装置からの信号を出力するスピーカおよび上記受信装置と上記スピーカを制御する制御部を有し、上記無線装置が上記第１の基地局の無線エリアから上記第２の基地局の無線エリアに移動する場合、上記受信装置が上記第１の基地局の信号から上記第２の基地局の信号に切替える時間が所定の時間Ｔより小さい場合、上記制御部は、上記スピーカを無音に制御するように構成する。
【００１４】
また、本発明の無線通信システムにおいて、上記無線装置が上記第１の基地局の無線エリアから上記第２の基地局の無線エリアに移動する場合、上記受信装置が上記第１の基地局の信号から上記第２の基地局の信号に切替える時間が所定の時間Ｔより大きい場合、上記制御部は、上記所定の時間Ｔを無音期間Ｔｍとトーン鳴音期間Ｔｎに分けて上記スピーカを駆動するように制御するように構成する。
【００１５】
また、本発明は、第１の基地局からの信号および第２の基地局からの信号を受信する受信装置と、上記受信装置からの信号を出力するスピーカと、上記受信装置および上記スピーカを制御する制御部を有する無線装置において、上記受信装置が上記第１の基地局エリアから上記第２の基地局エリアに移動する場合、上記受信装置が上記第１の基地局の信号から上記第２の基地局の信号に受信を切替える時間が所定の時間Ｔより小さい場合、上記制御部は、上記スピーカを無音にし、上記切替える時間が所定の時間Ｔより大きい場合、上記制御部は、上記所定の時間Ｔを無音期間Ｔｍとトーン鳴音期間Ｔｎに分けて上記スピーカを駆動するように制御するように構成する。
【発明の効果】
【００１６】
以上説明したように本発明によれば、使用者にとって優しく、利便性の高い無線通信システムおよび無線装置を実現できる。また、トーン信号の鳴音に煩わされることなく、ハンドオーバーを認識できる。特に、ハンドオーバーの時間が短い場合には、トーン信号の鳴音に煩わされることなく、また、ハンドオーバーの時間が長い場合には、トーン信号でハンドオーバーを認識し、適切な対応ができる無線装置を実現できる特徴がある。
【発明を実施するための最良の形態】
【００１７】
以下、本発明の一実施例を図１〜図５、図１０を用いて説明する。図１は、本発明に使用する回線制御装置１０１および基地局１０２の一実施例の概略構成のブロック図を示し、図２は、無線装置の一実施例の概略構成を示すブロック図である。そして、図１に示される回線制御装置１０１および基地局１０２は、図６で示される回線制御装置６０１および基地局６０２に相当し、図２に示す無線装置は、図６で示される無線装置６０４に相当する。なお、本実施例でもデジタル無線通信システムの構成は、ほぼ、図６に示すシステムと同様であるので、詳細な説明は省略する。なお、本発明では、ＳＣＰＣ（Single Channel Per Carrier）デジタル無線通信システムやＴＤＭＡ（Time Division Multiple Access）方式デジタル無線通信システムや一般のデジタル無線通信システムにも適応できることはいうまでもない。
【００１８】
図１において、回線制御装置１０１は、信号処理部１０３、制御部１０４および記憶部１０５で構成されている。また、基地局１０２は、送信用無線機１０６、受信用無線機１０７および制御部１０８で構成されている。なお、回線制御装置１０１と基地局１０２を一体に構成することもできる。回線制御装置１０１は、無線通信システムにおける基地局および複数の移動局間の通信接続およびサービスエリアの維持、管理を行う。基地局１０２の送信用無線機１０６は、前述したように下り無線キャリアＦを用いて基地局からの信号を移動局６０４に送信する。一方、受信用無線機１０７は、上り無線キャリアｆを用いて移動局６０４からの信号を受信する。即ち、無線キャリアＦおよびｆのペア波を用いた送受信を行う。
【００１９】
図２は、無線装置（移動局）６０４の概略構成を示すブロック図である。なお、図２で示す無線装置６０４は、例えば、下り方向無線キャリアＦ１および上り方向無線キャリアｆ１のペア波が用いられ、送受信できる無線通信装置を示している。図２において、２０１は、基地局１０２と通信を行うアンテナ、２０２は、高速で送受信を切り替える切替スイッチ、２０３は、受信部、２０４は、受信信号処理部、２０５は、スピーカ、２０６は、制御部、２０７は、記憶部、２０８は、表示部、２０９は、操作部、２１０は、マイク、２１１は、送信信号処理部、２１２は、送信部である。なお、受信部２０３と受信信号処理部２０４は、受信装置を構成する。同様に送信部２１２と送信信号処理部２１１は、送信装置を構成する。
【００２０】
この無線装置の動作は、先ず、操作部２０９を操作し、例えば、テンキーで相手の移動局番号を入力し、通話ボタンを押す。相手が出ると送信状態となるので、マイク２１０から入力される音声信号は、送信信号処理部２１１で送信のための所定の信号処理を施された後、送信部２１２に入力される。送信部２１２に入力された信号は、送信のための所定の変調がなされ、所定の送信周波数ｆ１に変換され、切替スイッチ２０２を介してアンテナ２０１から出力され、基地局１０２の受信用無線機１０７へ送信される。
【００２１】
一方、基地局１０２の送信用無線機１０６からの信号は、アンテナ２０１で受信され、切替スイッチ２０２を介して受信部２０３に入力される。受信部２０３に入力された信号は、高周波増幅され、所定の中間周波数に変換され、更に、復調され、受信信号処理部２０４に供給される。受信信号処理部２０４では、所定の信号処理がなされた後、スピーカ２０５から音声信号を出力したり、また、データの場合には、表示部２０８にデータが表示される。
【００２２】
さて、無線装置（移動局）６０４が基地局６０２を移動する場合の動作について図３、図６及び図１０を用いて説明する。図３は、電界強度曲線を示す図であり、縦軸は、電界強度、横軸は、距離を示している。電界強度曲線３０１−１は、基地局６０２−１の通信エリア６０３−１の電界強度曲線を示し、電界強度曲線３０１−２は、基地局６０２−２の通信エリア６０３−２の電界強度曲線を示し、電界強度曲線３０１−３は、基地局６０２−３（図示せず。）の通信エリア６０３−３の電界強度曲線を示している。そして、各通信エリアが互いに一部分オーバーラップしている状態を示している。この状態で、無線装置６０４−１が基地局６０２−１の通信エリア６０３−１内を移動している場合、基地局６０２−１から無線装置６０４−１に基地局情報が送信されているものとする（図１０のステップ１００１）。この状態で無線装置６０４−１は、基地局６０２−１の受信レベルを常に監視している。この場合の受信レベルは、電界強度Ｅを測定することにより計測する。この計測には、例えば、無線装置６０４−１の受信部２０３の高周波増幅器（図示せず。）の利得制御電圧を制御部２０６で監視することで計測できる。また、必要に応じて表示部２０８に電界強度を表示することもできる。なお、受信レベルは、電界強度Ｅを測定する場合の他、ビット誤り率（Bit Error Rate: ＢＥＲ）を測定することにより測定することもできるが、ＢＥＲについても従来と同様であるので詳細な説明は省略する。
【００２３】
そして無線装置６０４−１は、受信電界Ｅが所定の受信電界Ｅｔｈ以上か（音声等が聞けるレベル）どうかを監視している（ステップ１００２）。そして、受信電界Ｅが所定の受信電界Ｅｔｈ以上の場合（ＹＥＳ）は、ステップ１００３に進み、通話が継続される。即ち、電界強度曲線３０１−１が所定の受信電界Ｅｔｈ以上であるので、通話は継続される。しかしながら、無線装置６０４−１が次第に基地局６０２−１から遠くなり、受信電界Ｅが所定の受信電界Ｅｔｈ以下になる（ＮＯ）と、ステップ１００４に進み、周辺ゾーン監視モードに移る。即ち、図３に示されるＰ点を越えると、電界強度曲線３０１−１が所定の受信電界Ｅｔｈ以下となる。従って、無線装置６０４−１は、周辺の基地局の通信エリアの電界強度（または、ＢＥＲ）を測定する。この周辺ゾーン監視モードでは、異なる基地局６０２からの電界強度（または、ＢＥＲ）を計測する（ステップ１００５）が、図３および図６でも示すように、各基地局の通信エリアは一部分オーバーラップしている。また、図３および図６では、３つの基地局６０２の通信エリアが一部分オーバーラップしている状態が示されているが、一般には、数局から２０局程度の基地局６０２の通信エリアが一部分オーバーラップしているので、無線装置６０４−１が周辺ゾーン監視モードになった場合、電界強度（または、ＢＥＲ）が高い順に３〜５個の基地局の電界強度を順次探索する。なお、無線装置６０４−１が受信できる所定の受信電界Ｅｔｈのレベルは、システムの構成、電波状況等に応じて適宜設定することができる。
【００２４】
さて、周辺ゾーン監視モードで、周辺基地局を探索した結果、周辺基地局の電界強度（または、ＢＥＲ）が所定の受信電界Ｅｔｈ以下の場合（ＮＯ）、ステップ１００６に進み、圏外処理を行う。即ち、いずれの基地局とも通話ができないことを使用者に知らせる。
【００２５】
周辺ゾーン監視モードで、周辺基地局を探索した結果、周辺基地局の電界強度（または、ＢＥＲ）が所定の受信電界Ｅｔｈ以上の場合（ＹＥＳ）、ステップ１００７において基地局選択を行う。即ち、例えば、図３に示すように、基地局６０２−２の電界強度曲線３０１−２および基地局６０２−３の電界強度曲線３０１−３の計測を行い、その結果、電界強度のより強い基地局６０２−２を選択する。そして、無線装置６０４−１は、基地局６０２−２に位置登録要求を送信する（ステップ１００８）。無線装置６０４−１から位置登録要求を受けた基地局６０２−２は、回線制御装置６０１に位置登録要求を送信する（ステップ１００９）。
【００２６】
回線制御装置６０１の制御部１０４では、無線装置６０４−１からの位置登録要求を受信すると、基地局６０２−２との間で、認証処理を行う（ステップ１０１０）。即ち、無線装置６０４−１の、例えば、ＩＤ等による認証を行い、認証が成立すると、回線制御装置６０１は、記憶部１０５に無線装置６０４−１が基地局６０２−２の通信エリア６０３−２内に位置することを登録すると共に、位置登録完了通知を基地局６０２−２に送信する（ステップ１０１１）。位置登録完了通知を受けた基地局６０２−２は、位置登録完了通知を無線装置６０４−１に送信する（ステップ１０１２）。これによって無線装置６０４−１は、基地局６０２−２の通信エリア６０３−２内で通信が可能となり、ステップ１０１３に進む。即ち、無線装置６０４−１は、基地局６０２−２と通信を継続する。
【００２７】
而して、上述したように無線装置６０４−１が基地局６０２−１から基地局６０２−２に切替える場合、切替時間が０．５秒〜２０秒程度かかる場合がある。なお、電波状況が悪いと、周辺ゾーン探索のための時間がかかることとなり、従来のようにハンドオーバを知らせるトーン鳴動が煩わしくなったり、また、無音の場合には、故障と認識されることとなる。従って、本発明では、これを改善する無線装置を提供するものである。これについて図４および図５を用いて説明する。
【００２８】
図４は、基地局間の切替時間が短い場合を説明するための図である。図４において、無線装置６０４−１が基地局６０２−１と接続している期間ｔ７は、例えば、基地局６０２−１からの受信音声４０１が無線装置６０４−１の受話器（またはスピーカ）２０５から出力される。無線装置６０４−１が移動中であり、先に説明したように基地局６０２−１の電界強度（またはＢＥＲ）が所定の電界強度Ｅｔｈ以下になると、無線装置６０４−１が基地局６０２−１との接続を切断し、基地局６０２−２との接続を完了するまでの期間がＴ１である。そして、無線装置６０４−１が基地局６０２−２に接続を完了してから基地局６０２−２からの受信音声４０３が受話器（またはスピーカ）２０５から出力されている期間がｔ８である。このような場合、基地局間の切替時間Ｔ１は、表１に示すように設定される。なお、表１に示す条件テーブルは、前もって無線装置６０４−１の記憶部２０７に記憶しておく。
【００２９】
【表１】
2008005376.tif 000003
即ち、本発明では、基地局間の切替時間Ｔ１が所定時間Ｔか、またはそれより小さい場合（Ｔ１≦Ｔ）、例えば、Ｔ＝０．５秒とした場合、基地局間の切替時間Ｔ１の期間は、無音とする。これによって無線装置６０４−１からのトーン鳴動がなく、使用者は、トーン鳴動に煩わされることがない。また、０．５秒以内の短時間では、故障と判断されることもない。なお、基地局間の切替時間Ｔ１の検出は、図１０の動作説明で説明したステップ１００４の周辺ゾーン監視モードに移ってから基地局６０２−２の通信エリア６０３−２内で通信が可能となるステップ１０１３までの時間であり、これは無線装置６０４−１の制御部２０６で容易に検出できる。また、所定時間Ｔの設定は、操作部２０９を操作して記憶部２０７に記憶されている条件テーブルの所定時間Ｔを適宜設定することで容易に設定または変更することができる。また、上記実施例では、Ｔ＝０．５秒とした場合について説明したが、所定時間Ｔは、システムの構成、使用環境に応じて適宜設定することができる。
【００３０】
次に、図５は、基地局間の切替時間が長い場合を説明するための図である。図５において、無線装置６０４−１が基地局６０２−１と接続している期間ｔ９は、例えば、基地局６０２−１からの受信音声５０１が無線装置６０４−１の受話器（またはスピーカ）２０５から出力される。無線装置６０４−１が移動中であり、先に説明したように基地局６０２−１の電界強度（またはＢＥＲ）が所定の電界強度Ｅｔｈ以下になると、無線装置６０４−１が基地局６０２−１との接続を切断し、基地局６０２−２との接続を完了するまでの期間がＴ２である。そして、無線装置６０４−１が基地局６０２−２に接続を完了してから基地局６０２−２からの受信音声５０４が受話器（またはスピーカ）２０５から出力されている期間がｔ１０である。
【００３１】
このような場合、基地局間の切替時間Ｔ２は、表１に示すように設定される。本発明では、基地局間の切替時間Ｔ２が所定時間Ｔより大きい場合（Ｔ２＞Ｔ）、基地局間の切替時間Ｔ２を（Ｔｍ＋Ｔｎ）に分け、Ｔｍ期間は、無音とし、Ｔｎ期間は、トーン鳴動させるように動作させる。例えば、Ｔｍ期間を０．５秒に設定し、残りの期間Ｔｎは、無線装置６０４−１からのトーンを鳴動させるようにする。これによって使用者は、ハンドオーバを認識することができる。そして、基地局間の切替時間Ｔ２が長くても、無音期間Ｔｍとトーン鳴音期間Ｔｎを組合わせることによりトーン鳴音に煩わされることもなく、また、故障と誤認識されることもない。なお、基地局間の切替時間Ｔ２の測定は、上記基地局間の切替時間Ｔ１の場合と同様に、制御部２０６で測定することができる。また、（Ｔｍ＋Ｔｎ）の設定も操作部２０９を操作して記憶部２０７に記憶されている表１の条件テーブルのＴｍ、Ｔｎを適宜設定することにより容易に設定および変更が可能である。また、トーン鳴音は、Ｔｎ期間にわたって連続して鳴らすこともできるが、間欠的に鳴らせたり、１回で終了させたり、２回以上鳴らせたり等、種々変更することもできる。
【００３２】
以上、本発明について詳細に説明したが、本発明は、ここに記載された無線通信システムおよび無線装置の実施例に限定されるものではなく、上記以外の無線通信システムおよび無線装置に広く適応することが出来ることは、言うまでも無い。
【図面の簡単な説明】
【００３３】
【図１】本発明で使用される基地局および回線制御装置の概略構成のブロック図を示す。
【図２】本発明で使用される無線装置の概略構成のブロック図を示す。
【図３】本発明の動作を説明するための電界強度曲線を示す図である。
【図４】本発明の一実施例を説明するための図である。
【図５】本発明の他の一実施例を説明するための図である。
【図６】本発明で使用される無線通信システムの概略構成を示す図である。
【図７】本発明で使用される無線キャリアの周波数関係を説明するための図である。
【図８】従来の無線装置の動作の一例を示す図である。
【図９】従来の無線装置の動作の他の一例を示す図である。
【図１０】本発明の動作を説明するためのフローチャートである。
【符号の説明】
【００３４】
１０１、６０１：回線制御装置、１０２：基地局、１０３：信号処理部、１０４、１０８：制御部、１０５：記憶部、１０６：送信用無線機、１０７：受信用無線機、２０１：アンテナ、２０２：切替スイッチ、２０３：受信部、２０４：受信信号処理部、２０５：スピーカ、２０６：制御部、２０７：記憶部、２０８：表示部、２０９：操作部、２１０：マイク、２１１：送信信号処理部、２１２：送信部、６０２：無線基地局、６０３：通信エリア、６０４：無線装置（移動局）、６０５：伝送路。
【図１】
2008005376.tif 000004
【図２】
2008005376.tif 000005
【図３】
2008005376.tif 000006
【図４】
2008005376.tif 000007
【図５】
2008005376.tif 000008
【図６】
2008005376.tif 000009
【図７】
2008005376.tif 000010
【図８】
2008005376.tif 000011
【図９】
2008005376.tif 000012
【図１０】
2008005376.tif 000013